(57)【特許請求の範囲】
【請求項１】
電気機器の動作状態に関する情報を取得する機器状態取得部と、
前記電気機器の二以上の属性からユーザが選択した属性を取得する操作取得部と、
前記ユーザが選択した属性と合致する電気機器を特定する機器特定部と、
前記特定した電気機器の動作状態を前記機器状態取得部から取得し、提示する画面を形成するための情報を構築する画面構築部と、
前記画面構築部が構築した前記情報を出力する出力部と、
を備え、
前記属性は、前記電気機器が運転中であることと、運転中でないことを含む
機器状態表示制御装置。
【請求項２】
前記属性は、前記電気機器の種別を含む
請求項１に記載の機器状態表示制御装置。
【請求項３】
前記属性は、前記電気機器が設置された区域を示す名称を含む
請求項１又は２に記載の機器状態表示制御装置。
【請求項４】
前記属性は、前記電気機器の使用用途を含む
請求項１から３のいずれか１項に記載の機器状態表示制御装置。
【請求項５】
電気機器の動作状態に関する情報を取得する機器状態取得部と、
前記電気機器の二以上の属性からユーザが選択した属性を取得する操作取得部と、
前記ユーザが選択した属性と合致する電気機器を特定する機器特定部と、
前記特定した電気機器の動作状態を前記機器状態取得部から取得し、提示する画面を形成するための情報を構築する画面構築部と、
前記画面構築部が構築した前記情報を出力する出力部と、
前記機器状態取得部が取得した前記電気機器の動作状態である機器状態を記憶する機器状態記憶部と、
を備え、
前記機器特定部は、前記機器状態記憶部が記憶する前記電気機器の動作状態のうち運転中である状態が継続して取得される時間を、前記電気機器の連続運転時間として計測し、
前記属性は、前記機器特定部により計測された前記電気機器の連続運転時間の長さの範囲区分を含む
機器状態表示制御装置。
【請求項６】
電気機器の動作状態に関する情報を取得する機器状態取得部と、
前記電気機器の二以上の属性からユーザが選択した属性を取得する操作取得部と、
前記ユーザが選択した属性と合致する電気機器を特定する機器特定部と、
前記特定した電気機器の動作状態を前記機器状態取得部から取得し、提示する画面を形成するための情報を構築する画面構築部と、
前記画面構築部が構築した前記情報を出力する出力部と、
前記機器状態取得部が取得した前記電気機器の動作状態である機器状態を記憶する機器状態記憶部と、
を備え、
前記機器特定部は、前記電気機器の動作状態のうち運転中である状態と運転中でない状態との遷移回数を、前記電気機器の運転回数として計測し、
前記属性は、前記機器特定部により計測された前記電気機器の運転回数の範囲区分を含む
機器状態表示制御装置。
【請求項７】
電気機器の動作状態に関する情報を取得する機器状態取得部と、
前記電気機器の二以上の属性からユーザが選択した属性を取得する操作取得部と、
前記ユーザが選択した属性と合致する電気機器を特定する機器特定部と、
前記特定した電気機器の動作状態を前記機器状態取得部から取得し、提示する画面を形成するための情報を構築する画面構築部と、
前記画面構築部が構築した前記情報を出力する出力部と、
前記電気機器の消費電力値を取得する電力取得部と、
を備え、
前記属性は、前記電力取得部により取得された前記消費電力値の範囲区分を含む
機器状態表示制御装置。
【請求項８】
前記電力取得部が取得した前記電気機器の消費電力値を記憶する電力記憶部を備え、
前記機器特定部は、前記電力記憶部が記憶する前記電気機器の消費電力値から一定の期間における電力使用量を算出し、
前記属性は、前記機器特定部により算出された前記電気機器の電力使用量の範囲区分を含む
請求項７に記載の機器状態表示制御装置。
【請求項９】
前記機器特定部は、前記電気機器の電力使用量と、ユーザの契約電気料金とに基づいて、前記電気機器が消費する電力に課金される電気料金を算出し、
前記属性は、前記機器特定部により算出された前記電気機器の電気料金の範囲区分を含む
請求項８に記載の機器状態表示制御装置。
【請求項１０】
請求項１から９のいずれか１項に記載の機器状態表示制御装置と、
前記機器状態表示制御装置と通信可能な１台以上の電気機器と、
を備え、
前記電気機器のうち、前記機器状態表示制御装置の機器特定部が特定した電気機器の動作状態を前記機器状態表示制御装置の機器状態取得部から取得して、操作端末に表示する、
機器状態表示システム。
【請求項１１】
電気機器の動作状態に関する情報を取得する機器状態取得ステップと、
前記電気機器の二以上の属性からユーザが選択した属性を取得する操作取得ステップと、
前記ユーザが選択した属性と合致する電気機器を特定する機器特定ステップと、
前記特定した電気機器の動作状態を前記機器状態取得ステップで取得して、提示する画面を形成するための情報を構築する画面構築ステップと、
を備え、
前記属性は、前記電気機器が運転中であることと、運転中でないことを含む
機器状態表示画面構築方法。
【請求項１２】
電気機器の動作状態に関する情報を取得する機器状態取得ステップと、
前記電気機器の二以上の属性からユーザが選択した属性を取得する操作取得ステップと、
前記ユーザが選択した属性と合致する電気機器を特定する機器特定ステップと、
前記特定した電気機器の動作状態を前記機器状態取得ステップで取得して、提示する画面を形成するための情報を構築する画面構築ステップと、
前記機器状態取得ステップにて取得した前記電気機器の動作状態である機器状態を記憶する機器状態記憶ステップと、を備え、
前記機器特定ステップでは、前記機器状態記憶ステップにて記憶する前記電気機器の動作状態のうち運転中である状態が継続して取得される時間を、前記電気機器の連続運転時間として計測し、
前記属性は、前記機器特定ステップにて計測された前記電気機器の連続運転時間の長さの範囲区分を含む
機器状態表示画面構築方法。
【請求項１３】
電気機器の動作状態に関する情報を取得する機器状態取得ステップと、
前記電気機器の二以上の属性からユーザが選択した属性を取得する操作取得ステップと、
前記ユーザが選択した属性と合致する電気機器を特定する機器特定ステップと、
前記特定した電気機器の動作状態を前記機器状態取得ステップで取得して、提示する画面を形成するための情報を構築する画面構築ステップと、
前記機器状態取得ステップにて取得した前記電気機器の動作状態である機器状態を記憶する機器状態記憶ステップと、を備え、
前記機器特定ステップでは、前記電気機器の動作状態のうち運転中である状態と運転中でない状態との遷移回数を、前記電気機器の運転回数として計測し、
前記属性は、前記機器特定ステップにて計測された前記電気機器の運転回数の範囲区分を含む
機器状態表示画面構築方法。
【請求項１４】
電気機器の動作状態に関する情報を取得する機器状態取得ステップと、
前記電気機器の二以上の属性からユーザが選択した属性を取得する操作取得ステップと、
前記ユーザが選択した属性と合致する電気機器を特定する機器特定ステップと、
前記特定した電気機器の動作状態を前記機器状態取得ステップで取得して、提示する画面を形成するための情報を構築する画面構築ステップと、
前記電気機器の消費電力値を取得する電力取得ステップと、を備え、
前記属性は、前記電力取得ステップにて取得された前記消費電力値の範囲区分を含む
機器状態表示画面構築方法。
【請求項１５】
コンピューターに、
電気機器の動作状態に関する情報を取得する機器状態取得ステップ、
前記電気機器の二以上の属性からユーザが選択した属性を取得する操作取得ステップ、
前記ユーザが選択した属性と合致する電気機器を特定する機器特定ステップ、
前記特定した電気機器の動作状態を前記機器状態取得ステップで取得して、提示する画面を形成するための情報を構築する画面構築ステップ、
を実行させ、
前記属性は、前記電気機器が運転中であることと、運転中でないことを含む
プログラム。
【請求項１６】
コンピューターに、
電気機器の動作状態に関する情報を取得する機器状態取得ステップ、
前記電気機器の二以上の属性からユーザが選択した属性を取得する操作取得ステップ、
前記ユーザが選択した属性と合致する電気機器を特定する機器特定ステップ、
前記特定した電気機器の動作状態を前記機器状態取得ステップで取得して、提示する画面を形成するための情報を構築する画面構築ステップ、
前記機器状態取得ステップにて取得した前記電気機器の動作状態である機器状態を記憶する機器状態記憶ステップ、
を実行させ、
前記機器特定ステップでは、前記機器状態記憶ステップにて記憶する前記電気機器の動作状態のうち運転中である状態が継続して取得される時間を、前記電気機器の連続運転時間として計測し、
前記属性は、前記機器特定ステップにて計測された前記電気機器の連続運転時間の長さの範囲区分を含む
プログラム。
【請求項１７】
コンピューターに、
電気機器の動作状態に関する情報を取得する機器状態取得ステップ、
前記電気機器の二以上の属性からユーザが選択した属性を取得する操作取得ステップ、
前記ユーザが選択した属性と合致する電気機器を特定する機器特定ステップ、
前記特定した電気機器の動作状態を前記機器状態取得ステップで取得して、提示する画面を形成するための情報を構築する画面構築ステップ、
前記機器状態取得ステップにて取得した前記電気機器の動作状態である機器状態を記憶する機器状態記憶ステップ、
を実行させ、
前記機器特定ステップでは、前記電気機器の動作状態のうち運転中である状態と運転中でない状態との遷移回数を、前記電気機器の運転回数として計測し、
前記属性は、前記機器特定ステップにて計測された前記電気機器の運転回数の範囲区分を含む
プログラム。
【請求項１８】
コンピューターに、
電気機器の動作状態に関する情報を取得する機器状態取得ステップ、
前記電気機器の二以上の属性からユーザが選択した属性を取得する操作取得ステップ、
前記ユーザが選択した属性と合致する電気機器を特定する機器特定ステップ、
前記特定した電気機器の動作状態を前記機器状態取得ステップで取得して、提示する画面を形成するための情報を構築する画面構築ステップ、
前記電気機器の消費電力値を取得する電力取得ステップ
を実行させ、
前記属性は、前記電力取得ステップにて取得された前記消費電力値の範囲区分を含む
プログラム。
【発明の詳細な説明】
【技術分野】
【０００１】
本発明は、機器状態表示制御装置、機器状態表示システム、機器状態表示画面構築方法およびプログラムに関する。
【背景技術】
【０００２】
近年、住宅などに配置された種々の電気機器を所定の通信規格で接続したホームシステムが普及している。一例として、ホームエネルギーマネジメントシステム（ＨＥＭＳ）では、エアコン、照明機器、テレビ、給湯器といった種々の電気機器が通信可能に接続され、各電気機器のモニタリングが適切に行えるようになっている。
【０００３】
例えば、特許文献１には、ユーザに機器の使用状態や動作状態などを容易に認識させることができるコントローラが開示されている。特許文献１のコントローラは、ネットワークを介して受信した住宅に設置される複数の機器の消費電力や動作状態を、間取り図および機器が配置される位置と対応付けてディスプレイに表示することにより、それぞれの機器の状態をユーザに知らしめる。
【０００４】
特許文献２には、画像入力機器から取り込んだ画像を拡大表示する閲覧方法を備えた画像管理装置が開示されている。特許文献２の画像管理装置は、一覧表示された画像からユーザが拡大したい画像を選択して、拡大表示モードを起動すると、画面に拡大表示させ、選択した画像を拡大表示させる。一部の画像を拡大表示させたために画面から隠れる他の画像は、スクロールバーを操作して画面をスクロールして表示させることができる。
【先行技術文献】
【特許文献】
【０００５】
【特許文献１】特開２０１２−１３４９５７号公報（段落００３５〜００４０、図２）
【特許文献２】特開２００３−１０８９７４号公報（段落００４３〜００４７、図７、図８）
【発明の概要】
【発明が解決しようとする課題】
【０００６】
しかしながら、特許文献１に提案されているコントローラでは、限られた大きさのディスプレイ上に多数の機器の消費電力や動作状態を示す情報が配置され、ユーザが知りたい機器を瞬時に見つけにくくなるという問題がある。
【０００７】
一方、特許文献２には、ユーザが拡大したい画像を選択して、画面に拡大表示させ、画面から隠れる画像は、スクロール操作により表示できる閲覧方法が示されているが、知りたい機器を見つけるには、画面をスクロールさせる操作を行わなければならず、ユーザの手がふさがっていたり、スクロール操作に慣れていない場合は、操作の煩わしさから機器を見つけるのを断念する場合もある。
【０００８】
本発明は上記の課題を解決するためになされたものであり、多数の機器がネットワーク上に配置されている場合にも、ディスプレイに表示される機器の中から、ユーザが知りたい機器の状態を見つけやすくすることを目的とする。
【課題を解決するための手段】
【０００９】
上記の目的を達するため、本発明に係る機器状態表示制御装置は、機器状態取得部と操作取得部と機器特定部と画面構築部と出力部とを備える。機器状態取得部は、電気機器の動作状態に関する情報を取得する。操作取得部は、電気機器の二以上の属性からユーザが選択した属性を取得する。機器特定部は、ユーザが選択した属性と合致する電気機器を特定する。画面構築部は、特定した電気機器の動作状態を機器状態取得部から取得し、提示する画面を形成するための情報を構築する。出力部は、画面構築部が構築した情報を出力する。属性は、電気機器が運転中であることと、運転中でないことを含む。
【発明の効果】
【００１０】
本発明によれば、多数の機器がネットワーク上に配置されている場合にも、ディスプレイに表示される機器の中から、ユーザが知りたい機器の状態を見つけやすくすることができる。
【図面の簡単な説明】
【００１１】
【図１】実施の形態１に係る機器状態表示システムの構成例を示す図である。
【図２】実施の形態１に係る端末装置から選択される電気機器の属性の一例を示す図である。
【図３】実施の形態１に係る端末装置の表示部が表示する画面の一例を示す図である。
【図４】実施の形態１に係る機器状態表示制御装置の機能構成例を示す図である。
【図５】実施の形態１に係る機器状態表示制御装置の機器状態取得部が取得する電気機器の動作状態の一例を示す図である。（ａ）電気機器がエアコンの場合の動作状態の一例を示す図である。（ｂ）電気機器が照明の場合の動作状態の一例を示す図である。（ｃ）電気機器が冷蔵庫の場合の動作状態の一例を示す図である。（ｄ）電気機器が換気扇の場合の動作状態の一例を示す図である。
【図６】実施の形態１に係る機器固有情報記憶部に記憶される電気機器の固有情報の一例を示す図である。
【図７】実施の形態１に係るシンボル情報記憶部に記憶される電気機器のシンボル情報の一例を示す図である。
【図８】実施の形態１に係るシンボル情報記憶部に記憶される電気機器のシンボル情報の他の例を示す図である。
【図９】実施の形態１に係る操作入力画面の構築処理のフローチャートである。
【図１０】実施の形態１に係る機器状態出力画面の構築処理のフローチャートである。
【図１１】図９に示す操作入力画面の構築処理を説明するための画面の遷移例を示す図である。
【図１２】図１０に示す機器状態出力画面の構築処理を説明するための画面の遷移例を示す図である。
【図１３】図１２に示す機器状態出力画面の他の表示方法例を示す図である。
【図１４】図１２に示す画面上で電気機器の属性が変更される際の画面の遷移例を示す図である。
【図１５】図１４に示す操作入力画面の他の表示方法例を示す図である。
【図１６】電気機器の機器種別を属性として、電気機器を表示する例を示す図である。
【図１７】電気機器の設置区域を属性として、電気機器を表示する例を示す図である。
【図１８】電気機器の用途を属性として、電気機器を表示する例を示す図である。
【図１９】実施の形態１の変形例に係る機器状態表示システムの構成例を示す図である。
【図２０】実施の形態２に係る機器状態表示制御装置の機能構成例を示す図である。
【図２１】電気機器の連続運転時間の長さを属性として、電気機器を表示させるための操作入力画面の表示例を示す図である。
【図２２】電気機器の運転回数を属性として、電気機器を表示させるための操作入力画面の表示例を示す図である。
【図２３】実施の形態３に係る機器状態表示システムの構成例を示す図である。
【図２４】実施の形態３に係る機器状態表示制御装置の機能構成例を示す図である。
【図２５】実施の形態３に係る機器固有情報記憶部に記憶される電気機器の固有情報の一例を示す図である。
【図２６】電気機器の消費電力値を属性として、電気機器を表示させるための操作入力画面の表示例を示す図である。
【図２７】実施の形態４に係る機器状態表示システムの構成例を示す図である。
【図２８】実施の形態４の変形例に係る機器状態表示システムの構成例を示す図である。
【図２９】本発明に係る機器状態表示制御装置および端末装置のハードウェア構成例を示す図である。
【発明を実施するための形態】
【００１２】
以下に、本発明を実施するための形態について、図面を参照して詳細に説明する。なお、図中同一または相当する部分には同じ符号を付す。
【００１３】
（実施の形態１）
図１は、本発明の実施の形態１に係る機器状態表示システムの構成例を示す図である。機器状態表示システム１０００は、住宅などの建屋で使用される電気機器３Ａ、３Ｂおよび３Ｃ（以下、総称する場合は、電気機器３という）の動作状態を表示するシステムであり、機器状態表示制御装置１００と、端末装置２００と、電気機器３と、分電盤４とで構成される。電気機器３は、エアコン、冷蔵庫、照明機器、テレビ、ＩＨ調理器、給湯機、換気扇、床暖房等の各種家電製品であり、内蔵する通信インターフェース（図示せず）により、ネットワーク５に接続される。ネットワーク５の通信方式は何でもよく、Ｅｔｈｅｒｎｅｔ（登録商標）のような有線の通信インタフェースを利用しても良いし、Ｗｉ−Ｆｉ（登録商標）、Ｂｌｕｅｔｏｏｔｈ（登録商標）、ＺｉｇＢｅｅ（登録商標）等の無線インタフェースを利用しても良い。図１は、電気機器３が３台の場合の例であるが、電気機器３の台数は任意である。また、電気機器３が使用される建屋は、一般的な住宅のほか、店舗や工場などでもよい。
【００１４】
機器状態表示システム１０００には、商用交流電源６が供給され、供給された商用交流電源６は分電盤４で主幹から複数の支幹（いずれも図示せず）に分岐され、各電気機器３に電力が供給される。図１において、実線は装置間でやりとりされる通信信号を、点線は電気機器３に供給される電力線を示している。なお、図１では、機器状態表示制御装置１００、端末装置２００へ供給される電力線を省略しているが、電気機器３と同様に電力が供給される。
【００１５】
図１は、家電機器３Ａ、３Ｂおよび３Ｃにそれぞれ分電盤４の支幹が直接接続される場合の例であるが、分電盤４の支幹は、建屋の区画ごとに供給されていてもよい。その場合は、分電盤４の支幹に複数の電気機器３が接続される。
【００１６】
機器状態表示制御装置１００は、例えば、ＨＥＭＳに用いられるコントローラなどであり、ネットワーク５に接続され、各電気機器３の動作制御や動作状態の監視などを行う。
【００１７】
端末装置２００は、通信部と、入力部と、表示部（いずれも図示せず）とを備え、電気機器３の状態をユーザに提示する。端末装置２００の通信部は、ネットワーク５に接続され、機器状態表示制御装置１００と所定の通信方式に則ったデータ通信を行う。端末装置２００の入力部は、タッチパネル、タッチパッド等から構成され、ユーザの操作入力を受け付ける処理を行う。ユーザの操作入力とは、電気機器３の状態を提示する方法を切換えるためにユーザから入力される情報である。ユーザから入力される情報は、提示の開始や終了、提示サイズを大きくしたり小さくしたりを指示する指示情報であるほか、電気機器３の特徴を表す二以上の属性からユーザが選択した属性の情報である。図２は、実施の形態１に係る端末装置から選択される電気機器３の属性の一例を示す図であり、その主機能が運転中であるかないかを示す状態を電気機器３の属性とする。図２において、属性６１ａは、主機能が運転中であることを示す状態、属性６１ｂは、主機能が運転中でないことを示す状態、属性６０は、属性６１ａと属性６１ｂの和を指す。すなわち運転中の電気機器３は属性６１ａを満たし、運転中でない電気機器３は属性６１ｂを満たし、運転中であるかないかに関わらずネットワーク５に接続されるすべての電気機器３が属性６０を満たす。
【００１８】
端末装置２００の表示部は、液晶表示器等で構成され、ユーザの操作入力画面や、各電気機器３の動作状態を示す画面を表示する。端末装置２００は、タブレット端末やスマートホン等の情報端末を用いてもよい。また、端末装置２００は、通信部と、入力部と、表示部とを備えていれば、インターホン親機や、液晶テレビや、給湯機やエアコンや太陽光発電等を制御するリモートコントローラなどであっても構わない。このように、別の主用途の装置を端末装置２００として用いることで、新たに導入する設備を減らすことができる。
【００１９】
図３は、実施の形態１に係る端末装置の表示部が表示する画面の一例を示す図である。表示部が表示する画面２５０は、例えば、操作入力画面２６０と、機器状態出力画面２７０とで構成される。操作入力画面２６０は、図２で説明した電気機器３の属性６０、６１ａ、６１ｂのうちのいずれかを選択する画面である。操作入力画面２６０には、属性６０、６１ａ、Ｐ６１をそれぞれ選択するための属性選択部Ｐ６０、Ｐ６１ａ、Ｐ６１ｂが配置され、それぞれの位置への接触が検知されると、対応する属性が選択される。図３では、運転中の属性６１ａを選択する属性選択部Ｐ６１ａの位置をユーザが接触した例を示しており、属性選択部Ｐ６１ａは、他の属性選択部Ｐ６０およびＰ６１ｂとは異なる形態で表示される。異なる形態とは、例えば、異なる色、輝度、大きさ、文字のフォント等で他の属性選択部Ｐ６０およびＰ６１ｂと識別可能に表示することを示す。
【００２０】
機器状態出力画面２７０には、提示される電気機器３の台数分の機器状態ウィンドウ７０ａ〜７０ｅ（以下、総称する場合は、機器状態ウィンドウ７０という）が配置される。図３では、５つの機器状態ウィンドウ７０が配置される例を示しているが、これに限らない。機器状態ウィンドウ７０各々は、例えば、設置区域表示部Ｐ７１ａ〜Ｐ７１ｅ（以下、総称する場合は、設置区域表示部Ｐ７１という）、機器種別表示部Ｐ７２ａ〜Ｐ７２ｅ（以下、総称する場合は、機器種別表示部Ｐ７２という）、シンボル表示部Ｐ７３ａ〜Ｐ７３ｅ（以下、総称する場合は、シンボル表示部Ｐ７３という）、および運転状態表示部Ｐ７４ａ〜Ｐ７４ｅ（以下、総称する場合は、運転状態表示部Ｐ７４という）を含む。
【００２１】
図４は、実施の形態１に係る機器状態表示制御装置１００の機能構成例を示す図である。機器状態表示制御装置１００は、機器状態取得部１１、機器特定部１２、画面構築部１３、出力部１４、記憶部１５、操作取得部１６とを備える。機器状態取得部１１は、ネットワーク５を通じて各電気機器３の動作状態に関する情報を取得する。
【００２２】
電気機器３の動作状態は、各電気機器３の主機能に応じて異なる。図５は、実施の形態１に係る機器状態表示制御装置１００の機器状態取得部１１が取得する電気機器３の動作状態の一例を示す図であり、図５（ａ）は、電気機器３がエアコンの場合の動作状態の一例を示す図である。図５（ａ）に示すように、エアコンの動作状態は、運転のオン／オフ、モード、設定温度、エアコンが検知した室内気温や湿度などである。図５（ａ）は、電気機器３の一つであるエアコンの運転が「オン」、運転モードは「暖房」、設定温度は「２０℃」に設定されており、現在の気温は「１６℃」、湿度は「５０％」であることを示している。
【００２３】
図５（ｂ）は、電気機器３が照明の場合の動作状態の一例を示す図である。図５（ｂ）は、照明が「ＯＮ」、明るさが「中」、色味が「昼白色」であることを示している。運転状態の値は、これに限らず、例えば、「明」、「中」、「暗」として明るさを示す代わりに、例えば「１００」、「７５」、「５０」のように明るさを数値で示してもよい。また、「昼白色」、「電球色」として色味を示す代わりに、それぞれ「５０００Ｋ（ケルビン）」、「３０００Ｋ」のように色温度として示してもよい。
【００２４】
図５（ｃ）は、電気機器３が冷蔵庫の場合の動作状態の一例を示す図である。図５（ｃ）は、冷蔵庫が運転「オン」、冷却設定が「中」に設定されており、冷蔵庫の庫内温度が「３℃」、冷凍庫の庫内温度が「−１８℃」であることを示している。動作状態の種類はこれに限らず、冷蔵庫と冷凍庫の冷却設定が個別に示してもよいし、野菜室の冷却設定や庫内温度を示してもよい。
【００２５】
図５（ｄ）は、電気機器３が換気扇の場合の動作状態の一例を示す図である。図５（ｄ）は、換気扇が運転「オン」、換気風量が「大」、熱交換機能が「オフ」に設定されており、換気扇が検知した室内の湿度が「６０％」であることを示している。
【００２６】
ユーザが操作入力画面２６０上の所定の位置を接触すると、端末装置２００の入力部で受け付けられた操作信号が、ネットワーク５を通じて、機器状態表示制御装置１００に入力される。操作取得部１６は、機器状態表示制御装置１００に入力された操作信号から、電気機器３の二以上の属性の選択画面を表示する指示、または、電気機器３の二以上の属性からユーザが選択した属性のいずれかを取得する。
【００２７】
記憶部１５は、機器の固有情報を記憶する機器固有情報記憶部１５１、機器のシンボル情報を記憶するシンボル情報記憶部１５２を備える。図６は、実施の形態１に係る機器固有情報記憶部１５１に記憶される電気機器３の固有情報の一例を示す図である。機器の固有情報は、ネットワーク５を介して接続している各電気機器３のアドレス、その電気機器３の機器種別、その電気機器３が設置された区域を識別する情報が対応付けられて、機器固有情報記憶部１５１に記憶される。図６では、アドレスとしてＩＰ（Ｉｎｔｅｒｎｅｔ  Ｐｒｏｔｏｃｏｌ）で用いられるＩＰアドレスを記憶している例を示しているが、これに限らず、ＭＡＣ（Ｍｅｄｉａ  Ａｃｃｅｓｓ  Ｃｏｎｔｒｏｌ）アドレスなどを用いてもよく、機器状態表示システム１０００において、各電気機器３を個別に識別できるアドレスであればよい。機器固有情報記憶部１５１に記憶された各電気機器３の機器種別、その電気機器３が設置された区域は、図３に示す機器状態ウィンドウ７０のそれぞれ機器種別表示部Ｐ７２、設置区域表示部Ｐ７１上に配置され、ユーザに提示される。
【００２８】
図７は、実施の形態１に係るシンボル情報記憶部１５２に記憶される電気機器３のシンボル情報の一例を示す図である。シンボル情報とは、各電気機器３の模式画像の情報であり、図７は、照明、冷蔵庫、ＩＨ調理器、エアコンと、それぞれの模式画像が対応づけられている例を示している。シンボル情報記憶部１５２に記憶された模式画像は、図３に示す機器状態ウィンドウ７０のシンボル表示部Ｐ７３上に配置される。図７は、機器種別と模式画像とを対応づける例を示しているが、これに限らず、各電気機器３のそれぞれに模式画像を対応づけてもよい。
【００２９】
図８は、実施の形態１に係るシンボル情報記憶部１５２に記憶されるシンボル情報の他の例を示す図である。図８は、異なるエアコンのそれぞれに模式画像が対応づけられている例を示している。この場合は、シンボル情報記憶部１５２には、各エアコンを識別するアドレスと、それぞれの模式画像が対応づけられて記憶され、例えばリビングに設置されるエアコンの模式画像と、リビング以外に設置されるエアコンの模式画像を異ならせてもよい。
【００３０】
機器特定部１２は、機器状態取得部１１が取得した各電気機器３の動作状態と、操作取得部１６が取得した電気機器３の属性選択結果と、機器固有情報記憶部１５１が記憶する電気機器３を識別する情報とから、ユーザが選択した属性と合致する電気機器３を特定し、特定した電気機器３を、機器の状態をユーザに提示する対象となる電気機器とする。
【００３１】
画面構築部１３は、機器特定部１２で特定された電気機器３の動作状態を機器状態取得部１１から取得し、取得した動作状態と、機器固有情報記憶部１５１が記憶する機器固有情報と、シンボル情報記憶部１５２が記憶する模式図の情報とを含む機器状態ウィンドウ７０を配置して提示する画面を形成するための情報を構築する。ここで、画面を形成するための情報とは、例えば、画面上における機器状態ウィンドウ７０の表示サイズ、表示位置、表示色、表示形状等のデータを含む。また、画面を形成するための情報は、上記以外に、例えば、画面を構成する画素ごとの色や明暗を示す値を画面に出力される順に並べたデータであってもよい。
【００３２】
出力部１４は、画面構築部１３が構築した情報を端末装置２００に出力するための出力インタフェースである。出力部１４は、ネットワーク５の通信方式にしたがって、画面構築部１３が構築した情報をネットワーク５に出力する。
【００３３】
次に、実施の形態１に係る機器状態表示制御装置１００が行う画面２５０の構築処理について、図９および図１０を参照して説明する。図９は、実施の形態１に係る操作入力画面２６０の構築処理のフローチャートである。操作入力画面２６０の構築処理は、機器状態表示制御装置１００の制御プログラムが起動されると開始される。機器状態表示制御装置１００の制御プログラムは、機器状態表示制御装置１００の電源を入れると起動し、操作入力画面２６０の構築処理が開始される。
【００３４】
まず、操作取得部１６がネットワーク５を通じて端末装置２００の画面２５０上の所定の位置がユーザに触れられた状態を取得すると（ステップＳ１０１）、画面構築部１３は、選択可能な電気機器３の属性を表示するための属性選択部Ｐ６０、Ｐ６１ａ、Ｐ６１ｂに関わる情報を構築し、出力部１４から出力する（ステップＳ１０２）。端末装置２００は、出力した情報から操作入力画面２６０を表示する。
【００３５】
機器状態表示制御装置１００は、制御プログラムが動作中であれば（ステップＳ１０３；Ｙｅｓ）、ステップＳ１０１に戻り、制御プログラムが動作中でなければ（ステップＳ１０３；Ｎｏ）、処理を終了する。
【００３６】
次に、機器状態表示制御装置１００が行う機器状態出力画面２７０の構築処理について、図１０を参照して説明する。図１０は、実施の形態１に係る機器状態出力画面２７０の構築処理のフローチャートである。機器状態出力画面２７０の構築処理は、操作入力画面２６０の構築処理と同様に、機器状態表示制御装置１００の制御プログラムが起動されると開始される。
【００３７】
操作取得部１６は、操作入力画面２６０上に配置された電気機器３の属性選択部Ｐ６０、Ｐ６１ａ、Ｐ６１ｂのうち、いずれが接触されたかをユーザの属性選択結果として取得する（ステップＳ１０４）。ステップＳ１０５〜ステップＳ１０９は、各電気機器３について、属性選択結果を満たす電気機器３を特定し、その電気機器３の機器状態ウィンドウ７０を形成するための画面情報を構築する処理である。
【００３８】
まず、機器状態取得部１１は、ネットワーク５を通じて、図５で述べた各電気機器３の動作状態を取得する（ステップＳ１０６）。ネットワーク５から取得される電気機器３の動作状態を示す情報は、各電気機器３を個別に識別できるアドレスと紐付けられており、そのアドレスは機器固有情報記憶部１５１に記憶されている。
【００３９】
機器特定部１２は、各電気機器３の属性がステップＳ１０４で取得した属性選択結果を満たすかどうかを判定する（ステップＳ１０７）。例えば、ステップＳ１０４で、操作取得部１６がユーザの属性選択結果として運転中を示す属性６１ａを取得した場合、ステップＳ１０６で取得した電気機器３の動作状態のうち、動作状態の名称「オン／オフ」に対応する現在の運転状態が運転中を示す「オン」であれば（ステップＳ１０７；Ｙｅｓ）、その電気機器３は、ユーザに提示する対象であり、現在の運転状態が「オン」でなければ（ステップＳ１０７；Ｎｏ）、その電気機器３は、ユーザに提示する対象ではないとする。
【００４０】
電気機器３がユーザに提示する対象である場合は、画面構築部１３が機器状態ウィンドウ７０を形成するための画面情報を構築する（ステップＳ１０８）。機器状態ウィンドウ７０を形成するための画面情報は、画面構築部１３が機器固有情報記憶部１５１から取得した電気機器３の機器種別と設置区域、およびシンボル情報記憶部１５２から取得した電気機器３の模式画像と、機器状態取得部１１が取得した電気機器３の動作状態を含む。
【００４１】
出力部１４は、画面構築部１３が構築した機器状態ウィンドウ７０を形成するための画面情報をネットワーク５の通信方式にしたがって、端末装置２００に出力する（ステップＳ１１０）。機器状態表示制御装置１００は、制御プログラムが動作中であれば（ステップＳ１１１；Ｙｅｓ）、ステップＳ１０４に戻り、制御プログラムが動作中でなければ（ステップＳ１１１；Ｎｏ）、処理を終了する。
【００４２】
以下、ユーザが知りたい機器の動作状態を出力する具体例を、図１１〜図１５を参照して説明する。図１１は、図９に示す操作入力画面２６０の構築処理を説明するための画面の遷移例を示す図である。図１１（ａ）は、機器状態表示制御装置１００が起動された直後の端末装置２００の表示部が表示する画面２５０の例を示している。操作入力画面２６０には、提示機器属性表示ウィンドウ６００が配置される。
【００４３】
図１１（ａ）では機器状態表示制御装置１００が起動された直後は、提示機器属性表示ウィンドウ６００の値は空白である例を示しているが、これに限らず、例えば「すべての」と表示して、すべての電気機器３を表す属性６０を初期値とするように予め定めておいてもよいし、前回選択された属性を提示機器属性表示ウィンドウ６００の初期値としてもよい。
【００４４】
図１１（ｂ）は、図１１（ａ）に示す画面上で、ユーザが提示機器属性表示ウィンドウ６００の位置に触れる様子を示している。操作取得部１６は、端末装置２００の通信部からネットワーク５を通じて、提示機器属性表示ウィンドウ６００の位置が触れられた状態を取得する。
【００４５】
続いて画面構築部１３は、選択可能な電気機器３の属性に関わる情報を生成し、出力部１４に出力させる。図１１（ｃ）は、選択可能な電気機器３の属性が操作入力画面２６０に表示された例である。端末装置２００は、操作入力画面２６０上に属性選択部Ｐ６０、Ｐ６１ａ、Ｐ６１ｂを配置し、それぞれ、属性６０を満たす「すべての」電気機器３、属性６１ａを満たす運転状態が「オンの」電気機器３、属性６１ｂを満たす運転状態が「オフの」電気機器３のいずれを表示させるかを選択できる。
【００４６】
図１２は、図１０に示す機器状態出力画面の構築処理を説明するための画面の遷移例を示す図である。  図１２（ａ）は、図１１（ｃ）に示す画面上で、ユーザが属性選択部Ｐ６０の位置に触れる例を示している。属性選択部Ｐ６０の位置が接触されると、属性選択部Ｐ６０は、他の属性選択部Ｐ６１ａおよびＰ６１ｂとは異なる形態で表示される。図１２（ａ）では、属性選択部Ｐ６０をメッシュパターンで表示しているが、これに限らず、例えば、異なる色、輝度、大きさ、文字のフォント等を用いて識別可能に表示してもよい。属性選択部Ｐ６０の位置が接触された後、操作取得部１６は、ユーザが属性６０を満たす「すべての」電気機器３を表示させる操作をしたと認識する。
【００４７】
機器状態取得部１１は、ネットワーク５に接続されるすべての電気機器３それぞれから動作状態を取得する。機器特定部１２は、操作取得部１６が取得したユーザの操作にしたがって、属性６０を満たす「すべての」電気機器３をユーザに提示すると判定する。画面構築部１３は、各電気機器３の動作状態を表示する機器状態ウィンドウ７０を形成するための画面情報を構築する。
【００４８】
画面情報の構築動作を以下に延べる。画面構築部１３は、機器固有情報記憶部１５１から電気機器３の機器種別と設置区域を取得する。画面構築部１３は、図６に例示した機器固有情報を記憶する機器固有情報記憶部１５１から、アドレス「１０．０．０．１０」、機器種別「照明」、設置区域「キッチン」である電気機器３の機器固有情報を取得し、この電気機器３の機器状態ウィンドウ７０の設置区域表示部Ｐ７１に「キッチン」の表示がされ、機器種別表示部Ｐ７２に「照明」の表示がされるよう画面情報を形成する。
【００４９】
次に、画面構築部１３は、図７に例示したシンボル情報を記憶するシンボル情報記憶部１５２から、機器種別「照明」の模式画像を取得し、この電気機器３の機器状態ウィンドウ７０のシンボル表示部Ｐ７３に取得した模式画像が表示されるよう画面情報を形成する。
【００５０】
続けて画面構築部１３は、機器状態取得部１１が動作状態を取得した電気機器３のうち、アドレスが「１０．０．０．１０」である電気機器３の運転状態を、この電気機器３の機器状態ウィンドウ７０の運転状態表示部Ｐ７４に表示されるよう画面情報を形成する。
【００５１】
生成された画面情報は、出力部１４からネットワーク５に出力され、機器状態ウィンドウ７０の画像情報として、端末装置２００に入力される。
【００５２】
図１２（ｂ）は、機器状態ウィンドウ７０が表示された端末装置２００の画面２５０の例を示している。操作入力画面２６０にて、属性選択部Ｐ６０が選択されているので、機器状態出力画面２７０には、機器固有情報記憶部１５１に記憶されている電気機器３のすべてに対応する機器状態ウィンドウ７０が配置される。
【００５３】
図１２（ｂ）に示すように、画面構築部１３は、電気機器３の運転状態が「オン」か「オフ」かによって、シンボル表示部Ｐ７３の模式画像を異なる形態で表示するように画面情報を形成してもよい。図１２（ｂ）は、運転状態が「オフ」の電気機器３の模式画像を、運転状態が「オン」の電気機器３の模式画像よりも暗く表示する例を示しているが、これに限らず、運転状態が「オン」か「オフ」かによって、模式画像の輪郭を実線または点線にしたり、異なる表示色としたり、異なる点滅周期としたりしてもよい。
【００５４】
また、図１２（ｂ）の例では、ユーザに提示する電気機器３を一つの画面に集約する例を示しているが、これに限らず、例えば、画面を複数の範囲に分割して、画面に表示させる範囲をユーザが変更する表示方法であてもよい。図１３は、図１２に示す機器状態出力画面２７０の他の表示方法例を示す図である。図１３（ａ）は、電気機器３を一つの画面に集約するかわりに、機器状態出力画面２７０の左右両端に、表示領域移動ボタン７８、７９を配置する例を示している。表示領域移動ボタン７８、７９は、画面に表示させる範囲を変更するための操作ボタンであり、ユーザが表示領域移動ボタン７８、７９のいずれかに触れると、表示範囲が変更され、異なる電気機器３の機器状態ウィンドウ７０を表示させる。
【００５５】
図１３（ｂ）は、図１３（ａ）に示す画面上で、ユーザが表示領域移動ボタン７９に接触した後の画面２５０の例を示している。図１３（ａ）では、機器状態ウィンドウ７０Ａ〜７０Ｅが機器状態出力画面２７０上に配置されているのに対し、表示領域移動ボタン７９を操作することにより、図１３（ｂ）では、機器状態出力画面２７０上に機器状態ウィンドウ７０Ｆ〜７０Ｊに配置されるよう変化する。
【００５６】
次に、画面２５０に表示する電気機器３の属性を変更する操作例を以下に説明する。図１４は、図１２に示す画面上で電気機器３の属性が変更される際の画面の遷移例を示す図である。
【００５７】
図１４（ａ）は、図１２（ｂ）に示す画面上で、ユーザが属性選択部Ｐ６１ａの位置に触れる例を示している。操作取得部１６は、ユーザが属性６１ａを満たす運転状態が「オンの」電気機器３を表示させる操作をしたと認識する。
【００５８】
機器状態取得部１１は、ネットワーク５に接続されるすべての電気機器３それぞれから動作状態を取得し、取得した運転状態が「オン」であれば、画面構築部１３は、その電気機器３の動作状態を表示する機器状態ウィンドウ７０を形成するための画面情報を構築し、端末装置２００に入力される。
【００５９】
図１４（ｂ）は、機器状態ウィンドウ７０が表示された端末装置２００の画面２５０の例を示している。操作入力画面２６０にて、属性選択部Ｐ６１ａが選択されているので、機器状態出力画面２７０には、図１４（ａ）に表示されている機器状態ウィンドウ７０のうち、運転状態表示部Ｐ７４に表示される情報が「オン」である機器状態ウィンドウ７０Ａ、７０Ｃ、７０Ｅ、７０Ｆ、７０Ｇが選択配置される。
【００６０】
図１４（ａ）では、提示機器属性表示ウィンドウ６００に並べて、属性選択部Ｐ６１ａおよびＰ６１ｂを配置して、ユーザが別の属性を選択する操作入力画面２６０の例を示しているが、これに限らない。図１５は、図１４に示す操作入力画面２６０の他の表示方法例を示す図である。図１５に示すように、提示機器属性表示ウィンドウ６００の上下端のいずれかまたは両方に、選択肢を上方向へと変更する上方向移動ボタン６８と、選択肢を下方向へと変更する下方向移動ボタン６９を配置し、上方向移動ボタン６８または下方向移動ボタン６９の位置に触れると、提示機器属性表示ウィンドウ６００に選択されている以外の属性が表示されるよう操作入力画面２６０を構築してもよい。また、上方向移動ボタン６８または下方向移動ボタン６９を備えず、提示機器属性表示ウィンドウ６００への接触回数によって、提示機器属性表示ウィンドウ６００に表示される属性を順次変更するよう操作入力画面２６０を構築してもよい。
【００６１】
なお、ここまで、電気機器３の属性として、電気機器３が運転中であることを示す「オン」、電気機器３が運転中でないことを示す「オフ」、ネットワーク５に接続されるすべての電気機器３を示す「すべて」のいずれかが選択される例について示したが、これに限らない。
【００６２】
図１６は、電気機器３の機器種別を属性として、電気機器３を表示する例を示す図である。  図１６（ａ）は、画面構築部１３が属性選択部Ｐ６１ａ、Ｐ６１ｂのかわりに、電気機器３の機器種別「照明」、「エアコン」、「テレビ」、「換気扇」を属性として選択するための、属性選択部Ｐ６２ａ〜Ｐ６２ｄを配置するよう操作入力画面２６０を形成する例を示している。
【００６３】
図１６（ａ）において、ユーザが属性選択部Ｐ６２ａ〜Ｐ６２ｄのいずれかに接触すると、機器特定部１２は、電気機器３の機器種別を機器固有情報記憶部１５１から取得し、ユーザが選択した機器種別と合致する電気機器３を特定する。図１６（ｂ）は、図１６（ａ）に示す画面上で、機器種別「照明」を示す属性選択部Ｐ６２ａの位置にユーザが触れたあとの画面２５０の例を示している。図１６（ｂ）の機器状態表示画面２７０には、図６に例示した機器固有情報記憶部１５１に記憶される機器固有情報のうち、機器種別が「照明」である電気機器３の機器状態ウィンドウ７０Ａ、７０Ｅ、７０Ｉ、７０Ｋ、７０Ｎが選択配置される。
【００６４】
図１７は、電気機器３の設置区域を属性として、電気機器３を表示する例を示す図である。図１７（ａ）は、画面構築部１３が属性選択部Ｐ６１ａ、Ｐ６１ｂのかわりに、電気機器３の設置区域「キッチン」、「リビング」、「寝室」、「子ども部屋」、「バスルーム」を属性として選択するための、属性選択部Ｐ６３ａ〜Ｐ６３ｅを配置するよう操作入力画面２６０を形成する例を示している。
【００６５】
図１７（ａ）において、ユーザが属性選択部Ｐ６３ａ〜Ｐ６３ｅのいずれかに接触すると、機器特定部１２は、電気機器３の設置区域を機器固有情報記憶部１５１から取得し、ユーザが選択した設置区域と合致する電気機器３を特定する。図１７（ｂ）は、図１７（ａ）に示す画面上で、設置区域「子ども部屋」を示す属性選択部Ｐ６３ｄの位置にユーザが触れたあとの画面２５０の例を示している。図１７（ｂ）の機器状態表示画面２７０には、図６に例示した機器固有情報記憶部１５１に記憶される機器固有情報のうち、設置区域が「子ども部屋」である電気機器３の機器状態ウィンドウ７０Ｋ、７０Ｌ、７０Ｍが選択配置される。なお、図６や、機器状態出力画面２７０において、設置区域を示す情報として、建屋の部屋の名称を用いているが、これに限らず、１階、２階などのフロアを区別する情報などであってもよい。
【００６６】
図１８は、電気機器３の用途を属性として、電気機器３を表示する例を示す図である。図１８（ａ）は、画面構築部１３が属性選択部Ｐ６１ａ、Ｐ６１ｂのかわりに、電気機器３の用途「調理」、「空調」、「冷暖房」、「娯楽」を属性として選択するための、属性選択部Ｐ６４ａ〜Ｐ６４ｄを配置するよう操作入力画面２６０を形成する例を示している。
【００６７】
図１８（ｂ）は、図１８（ａ）に示す画面上で、用途「冷暖房」を示す属性選択部Ｐ６４ｃの位置にユーザが触れたあとの画面２５０の例を示している。機器特定部１２は、一般的な自然言語処理を用いて、機器固有情報記憶部１５１に記憶された機器種別から用途を導出してもよいし、機器固有情報記憶部１５１またはシンボル情報記憶部１５２のいずれかに、さらに用途に関する情報を記憶させ、記憶された用途の情報をもとに電気機器３を特定してもよい。
【００６８】
機器特定部１２は、例えば、機器固有情報記憶部１５１に記憶される機器種別に「エアコン」、「暖房」のキーワードが含まれる電気機器３の用途を「冷暖房」であると導出する。この場合、図１８（ｂ）の機器状態表示画面２７０には、図６に例示した機器固有情報記憶部１５１に記憶される機器固有情報のうち、機器種別が「エアコン」または「床暖房」である電気機器３の機器状態ウィンドウ７０Ｆ、７０Ｈ、７０Ｊ、７０Ｌが選択配置される。
【００６９】
以上、操作入力画面２６０に表示する電気機器３の属性の例について説明したが、画面構築部１３は、複数の属性を組み合わせて、操作入力画面２６０を形成してもよい。
【００７０】
以上で説明したように、実施の形態１に係る機器状態表示システムによれば、ユーザが知りたい電気機器３の属性を選択することにより、機器状態出力画面２７０に選択した属性を満たす電気機器３の動作状態を示す情報のみが表示される。したがって、多数の電気機器３がネットワーク５上に配置されている場合にも、ユーザが必要とする電気機器を見つけやすくすることができる。
【００７１】
また、端末装置２００がインターホン親機や、給湯機やエアコンや太陽光発電等を制御するリモートコントローラなどである場合、通常壁面に固定して用いられるため、表示部とユーザの目の距離が一定ではないことと、その表示部の大きさは限られており、精細度も限られていることがある。このような端末装置２００であっても、ユーザに提示する電気機器３を絞り込むことで、表示する情報量を減らして、ひと目で電気機器３の状態が把握できる。それゆえ、拡大表示やスクロール表示に伴うユーザの操作頻度を減らせるので、タッチパネル等の操作に慣れていない場合にも使い勝手のよい画面を提供することができる。
【００７２】
さらに、通常、人が電気器機器３の状態を把握する動機は、消し忘れて運転されたままになっている電気機器３がないかを外出前に確認したいであったり、電気機器３が冗長に運転していないかを省エネの観点から確認したいであったりすることが多い。前者の場合、例えば、提示機器属性表示ウィンドウ６００に表示する電気機器３の属性を、図１４に示すように「オン」にしておけば、機器状態出力画面２７０に運転中の電気機器３が表示されていないかを確認すればよいので、離れた位置から端末装置２００をひと目見るだけで、消し忘れがないかが瞬時にわかる。なお、機器状態表示システム１０００を構成する電気機器３は複数台でなく、１台であってもよい。その場合、その電気機器３が運転中でなければ機器状態出力画面２７０に表示されないことから、端末装置２００を離れた位置から見るだけで、消し忘れがないことを確認できる。
【００７３】
また後者の場合、普段冗長に運転しがちであるとユーザが認識する機器種別や、設置区域や、用途のそれぞれの選択肢からいずれかを、提示機器属性表示ウィンドウ６００に表示する電気機器３の属性とすれば、ユーザが予め限定された電気機器３の状態を確認するだけで済むので、省エネ活動を負担なく継続することができる。
【００７４】
なお、図１では、端末装置２００がネットワーク５に接続される例を示したが、これに限らず、例えば、ネットワーク５とは異なるネットワーク（図示せず）で機器状態表示制御装置１００と通信する構成であってもよい。その場合は、機器状態表示システム１０００は、機器状態表示制御装置１００と電気機器３とを接続するネットワーク５と、機器状態表示制御装置１００と端末装置２００とを接続するネットワーク５とは別のネットワークを備える。
【００７５】
（実施の形態１の変形例）
上述の実施の形態１では、端末装置２００は、タブレット端末やスマートホン等に代表される情報端末であって、ネットワーク５や、ネットワーク５とは別のネットワークに接続されて、機器状態表示制御装置１００と通信する例を示したが、これに限らず、ネットワーク５などを介さずに端末装置が機器状態表示制御装置１００と直接接続されるようにしてもよい。このように構成される実施の形態１の変形例について以下に説明する。
【００７６】
図１９は、実施の形態１の変形例に係る機器状態表示システム１００１の構成例を示す図である。機器状態表示システム１００１の構成は、実施の形態１に係る機器状態表示システム１０００を構成する端末装置２００のかわりに、端末装置２０１を備える。端末装置２０１の通信部は、ネットワーク５などと通信するかわりに、ＲＳ−２３２Ｃや、ＵＳＢ（Ｕｎｉｖｅｒｓａｌ  Ｓｅｒｉａｌ  Ｂｕｓ）や、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ、登録商標）といった汎用の規格、または独自の規格を用いて、機器状態表示制御装置１００と接続する。それ以外は、実施の形態１に係る機器状態表示システム１０００と同様である。
【００７７】
以上のように、端末装置２０１が機器状態表示制御装置１００と汎用の規格、または独自の規格を用いて、直接接続することにより、通信インタフェースを備えないタッチパネル液晶装置などを端末装置２０１として用いることが可能となる。また、機器状態表示制御装置１００と、タッチパネル液晶装置で構成される端末装置２０１とを、一つの筐体に収めて一体の装置としてもよい。この場合、建屋内の装置数を減らすことができる。
【００７８】
（実施の形態２）
実施の形態１では、記憶部１５には、予め機器状態表示制御装置１００が通信する電気機器３の機器固有情報と、模式画像図を記憶するのみであった。これに加えて記憶部１５が、機器状態取得部１１が取得した電気機器３の動作状態（機器状態）を記憶するようにした実施の形態２について説明する。
【００７９】
実施の形態２に係る機器状態表示システム２０００の構成は、実施の形態１と同じであり、構成要素の説明を省略する。図２０は、実施の形態２に係る機器状態表示制御装置１２０の機能構成例を示す図である。機器状態表示制御装置１２０は、実施の形態１に係る機器状態表示制御装置１００の機能構成に加えて記憶部１５内に機器状態記憶部１５３を備える。
【００８０】
機器状態記憶部１５３は、機器状態取得部１１が取得した各電気機器３の動作状態である機器状態を記憶する。機器状態記憶部１５３が記憶する各電気機器３の動作状態とは、図５で説明したように、エアコンの運転のオン／オフやモードや設定温度やエアコンが検知した室内気温や湿度の状態、照明の運転のオン／オフや明るさや色味の設定、冷蔵庫の運転のオン／オフや冷却設定や庫内温度、換気扇の運転のオン／オフや換気風量や熱交換機能や換気扇が検知した室内の湿度の状態などである。
【００８１】
また、機器特定部１２は、実施の形態１に加えて、機器状態記憶部１５３に記憶された各電気機器３の動作状態から、運転中である状態が継続して取得される電気機器３があれば、その継続時間を、電気機器３の連続運転時間として計測する機能を備える。そして、画面構築部１３は、実施の形態１に加えて、連続運転時間の長さによって電気機器３を表示するよう操作入力画面２６０を形成する機能を備える。
【００８２】
図２１は、電気機器３の連続運転時間の長さを属性として、電気機器３を表示させるための操作入力画面２６０の表示例を示す図である。図２１では、実施の形態２の画面構築部１３が属性選択部Ｐ６１ａ、Ｐ６１ｂのかわりに、属性としての連続運転時間が「長時間」、「短時間」である電気機器３を選択するための属性選択部Ｐ６５ａ、Ｐ６５ｂを配置するよう操作入力画面２６０を形成する例を示している。
【００８３】
ここで、連続運転時間が「長時間」、「短時間」であるとは、例えば、連続運転時間が８時間を上回れば長い連続運転時間とし、連続運転時間が３時間未満であれば短い連続運転時間とするよう予め範囲を定義する。操作取得部１６は、操作入力画面２６０に配置された属性選択部のうち、いずれが選択されたかを取得する。機器特定部１２は、電気機器３のうち、その連続運転時間が、選択された属性に対応する連続運転時間の範囲にある電気機器３を特定する。
【００８４】
なお、属性選択部Ｐ６５ａ、Ｐ６５ｂに表示する属性情報はこれに限らず、例えば、「運転時間：８時間超」や「運転時間：３〜８時間」や「運転時間：３時間未満」などの具体的な連続運転時間を表示させて、機器特定部１２が選択された区分を満たす電気機器３を特定するようにしてもよい。
【００８５】
また、機器特定部１２は、上記に加えて、機器状態記憶部１５３に記憶された各電気機器３の動作状態から、運転状態が「オン」から「オフ」、または「オフ」から「オン」に遷移する回数、すなわち、動作状態が運転中である状態と運転中でない状態との遷移回数を、電気機器３の運転回数として計測する機能を備えてもよい。
【００８６】
図２２は、電気機器３の運転回数を属性として、電気機器３を表示させるための操作入力画面２６０の表示例を示す図である。図２２では、実施の形態２の画面構築部１３が属性選択部Ｐ６１ａ、Ｐ６１ｂのかわりに、電気機器３の運転回数が「多い」、または「少ない」電気機器３を選択するための属性選択部Ｐ６６ａ、Ｐ６６ｂを配置するよう操作入力画面２６０を形成する例を示している。図２４と同様、属性選択部Ｐ６６ａ、Ｐ６６ｂには、運転回数が多いか少ないかを表示する以外に、例えば、「１日の運転回数：１回以上」や「１週間の運転回数：５回以上」や「１週間の運転回数：２回以下」などの具体的な運転回数を表示させて、操作取得部１６がユーザが選択した遷移回数を取得するように、画面構築部１３が操作入力画面２６０を構築してもよい。この場合機器特定部１２は、取得した運転回数を満たす電気機器３を特定する。
【００８７】
一般に、運転時間が長い電気機器３や、運転回数の多い電気機器３は、ユーザが無意識に使用していることが多く、ユーザに提示する電気機器３をこれらに絞り込むことで、使用方法を見直して、節電に繋げることができる。一方、運転時間が短い電気機器３や、運転回数の少ない電気機器３は、ユーザが使用中である認識が高いことが多く、ユーザに提示する電気機器３をこれらに絞り込むことで、ひと目でユーザが気になる電気機器３の状態が把握できる。
【００８８】
（実施の形態３）
図２３は、本発明の実施の形態３に係る機器状態表示システム３０００の構成例を示す図である。本発明の実施の形態３に係る機器状態表示システム３０００は、機器状態表示制御装置１３０と、端末装置２００と、電気機器３と、分電盤４と、電力測定装置７とで構成され、実施の形態１に係る機器状態表示システム１０００に、電力測定装置７が追加された構成である。
【００８９】
図２３において、分電盤４の主幹および支幹には、例えばＣＴ（Ｃｕｒｒｅｎｔ  Ｔｒａｎｓｆｏｍｅｒ）などの電流計（図示せず）が取付けられ、それぞれに供給される電流を測定する。電力測定装置７は、電流計で測定した電流値に基づいて、主幹および支幹における消費電力値をそれぞれ算出する。なお、図２３は、電力測定装置７が分電盤４とは別に設けられる場合の例であるが、電力測定装置７が分電盤４と一体に構成されていてもよい。電力測定装置７は、ネットワーク５に接続され、算出した消費電力値を測定した電流計を識別する情報と紐付けて、ネットワーク５に出力する。
【００９０】
機器状態表示システム３０００は、図示しない太陽光発電などの発電装置を備えていてもよい。その場合、発電装置が供給する発電量もまた、分電盤４を介して、電力測定装置７にて算出される。
【００９１】
図２４は、実施の形態３に係る機器状態表示制御装置１３０の機能構成例を示す図である。実施の形態３に係る機器状態表示制御装置１３０は、実施の形態１に係る機器状態表示制御装置１００の機能構成に加えて、電力取得部１７を備える。電力取得部１７は、ネットワーク５から、電力測定装置７で算出され、測定した電流計を識別する情報と紐付けられた各電気機器３の消費電力値を取得する。
【００９２】
図２５は、実施の形態３に係る機器固有情報記憶部１５１に記憶される電気機器３の固有情報の一例を示す図である。実施の形態３に係る機器固有情報記憶部１５１は、実施の形態１の機器固有情報記憶部１５１に加えて、各電気機器３に供給される分電盤４の支幹に取付けられた電流計を識別するための情報を記憶する。なお、電気機器３には、動作状態から消費電力値を算出する機能を備えるものもある。その場合、電力取得部１７は、電力測定装置７が算出した消費電力値のかわりに、各電気機器３が出力した消費電力値をネットワーク５から取得してもよい。この場合、ネットワーク５を通じて取得される消費電力値の情報には、電気機器３を個別に識別できるアドレスが紐付けられている。
【００９３】
図２６は、電気機器３の消費電力値を属性として、電気機器３を表示する例を示す図である。図２６では、実施の形態３の画面構築部１３が属性選択部Ｐ６１ａ、Ｐ６１ｂのかわりに、属性としての消費電力値が「高い」、または「低い」電気機器３を選択するための属性選択部Ｐ６７ａ、Ｐ６７ｂを配置するよう操作入力画面２６０を形成する例を示している。ここで、消費電力値が「高い」、「低い」であるとは、例えば、消費電力値が１０００ワット以上であれば高い消費電力値とし、消費電力値が１０００ワット未満であれば低い消費電力値とするよう予め範囲を定義する。
【００９４】
操作取得部１６は、操作入力画面２６０に配置された属性選択部のうち、いずれが選択されたかを取得する。機器特定部１２は、電力取得部１７が取得した消費電力値が、操作取得部１６が取得した消費電力値の範囲を満たす場合、取得した消費電力値を測定した電流計を識別するための情報、または、取得した消費電力値を算出した電気機器３のアドレスを機器固有情報記憶部１５１から取得し、選択された電力を満たす電気機器３を特定する。画面構築部１３は、特定された電気機器３の画面情報を形成し、出力部１４がネットワーク５に出力し、機器状態出力画面２７０上に配置される。
【００９５】
図２６では、属性選択部Ｐ６７ａ、Ｐ６７ｂに消費電力値が高いか低いかを表示する例を示しているが、これに限らず、例えば、「消費電力：１０００ワット以上」や「消費電力：５００〜１０００ワット」や「消費電力：５００ワット未満」などの具体的な消費電力値を表示させてもよい。
【００９６】
また、実施の形態２に係る記憶部１５が機器状態記憶部１５３を備えるのと同様に、実施の形態３に係る記憶部１５に図示しない電力記憶部を備え、電力取得部１７が取得した電気機器３の瞬時の消費電力値を電力記憶部が記憶するように構成してもよい。この場合、機器特定部１２は、電力記憶部が記憶する瞬時の消費電力値から、例えば、時間、日、週、月などの一定期間における電力使用量を算出する機能を備える。
【００９７】
このような機器状態表示制御装置１３０の画面構築部１３は、上記で述べた消費電力値のかわりに、期間単位の電力使用量を表示した属性選択部を操作入力画面２６０に配置する。また、機器特定部１２は、契約電気料金と電力使用量とから、各電気機器３が消費する電力に課金される電気料金を算出する機能を備え、画面構築部１３は、電力使用量のかわりに期間単位の電気料金を表示する属性選択部を操作入力画面２６０に配置してもよい。
【００９８】
また、機器状態出力画面２７０に配置される機器状態ウィンドウ７０は、設置区域表示部Ｐ７１、機器種別表示部Ｐ７２、シンボル表示部Ｐ７３、運転状態表示部Ｐ７４のほか、瞬時の消費電力値、期間単位の電力使用量、期間単位の電気料金を表示する表示部を含んでもよい。
【００９９】
以上のように、実施の形態３に係る機器状態表示システムによれば、電力や電気料金で区分された電気機器３の属性を選択することにより、電力や電気料金をより消費する電気機器に特化して動作状態が表示されるので、ユーザが電気機器の使用方法を見直して、節電に繋げることができる。
【０１００】
（実施の形態４）
図２７は、本発明の実施の形態４に係る機器状態表示システム４０００の構成例を示す図である。本発明の実施の形態４に係る機器状態表示システム４０００は、機器状態表示制御装置１００と、端末装置２００と、電気機器３と、分電盤４と、ゲートウェイ８とで構成され、実施の形態１に係る機器状態表示システム１０００に、ゲートウェイ８が追加され、機器状態表示制御装置１００が建屋内部と外部ネットワーク９で接続される。
【０１０１】
実施の形態４に係る機器状態表示制御装置１００は、機器状態取得部１１、出力部１４および操作取得部１６がネットワーク５のかわりに外部ネットワーク９に接続される点以外は、機能構成、動作ともに実施の形態１と同じであり、説明を省略する。
【０１０２】
実施の形態４に係る機器状態表示システムによれば、機器状態表示制御装置１００が建屋の外部に設置されることで、ユーザが個別に装置を用意する必要がない。また、建屋内のネットワーク５が無効となっていても、機器状態表示制御装置１００の機能を向上させるバージョンアップや、メンテナンスサービスを受けることができる。さらに、機器状態表示制御装置１００が外部ネットワーク９を通じて異なる情報装置と接続され、電気機器３の動作状態に合致した情報を取得して、ユーザに提示するアプリケーションを提供することもできる。
【０１０３】
また、上述した機器状態表示制御装置１００は、建屋外に配置されて機器状態表示システム４０００を構成していたが、これに限らず、機器状態表示制御装置１００の一部のみを建屋外に配置し、それ以外の構成要素を建屋内に配置して機器状態表示システムを構成してもよい。図２８は、実施の形態４の変形例に係る機器状態表示システム４００１の構成例を示す図である。機器状態表示システム４００１は、記憶部１５のみを建屋外に配置して、記憶部１５以外の機器状態表示制御装置の構成要素が外部ネットワーク９を通じて記憶部１５とやりとりする。なお、記憶部１５に含まれる各部（機器固有情報記憶部１５１、シンボル情報記憶部１５２、機器状態記憶部１５３等）は、すべてを建屋外に配置する以外に、これらの一部のみを建屋外に配置する構成であってもよい。
【０１０４】
図２８に示す機器状態表示システム４００１によれば、建屋内に設置される機器状態表示制御装置１４１の規模を小さくできるとともに、機器状態表示制御装置１４１が複数の建屋に設置され、各機器状態表示制御装置１４１が外部ネットワーク９を通じて、クラウドサーバ１０に管理される記憶部１５を共有することができる。
【０１０５】
図２９は、本発明の実施の形態に係る機器状態表示制御装置１００、１０１、１２０、１３０、１４１、および端末装置２００、２０１のハードウェア構成例を示す図である。機器状態表示制御装置１００、１０１、１２０、１３０、１４１、および端末装置２００、２０１は、プロセッサ５１、メモリ５２、インタフェース５３で構成されている。これらの装置の各機能は、プロセッサ５１がメモリ５２に記憶されたプログラムを実行することにより実現される。インタフェース５３は、各装置を接続し、通信を確立させるためのものであり、必要に応じて複数種のインタフェースから構成されてもよい。図２９では、プロセッサ５１およびメモリ５２をそれぞれ一つで構成する例を示しているが、複数のプロセッサおよび複数のメモリが連携して上記機能を実行してもよい。
【０１０６】
その他、前記のハードウェア構成やフローチャートは一例であり、任意に変更および修正が可能である。
【０１０７】
プロセッサ５１、メモリ５２，およびインタフェース５３で構成される機器状態表示制御処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭなど）に格納して配布し、前記コンピュータプログラムをコンピュータにインストールすることにより、上述の各機能を実現することができるコンピュータを構成してもよい。そして、各機能をＯＳ（Ｏｐｅｒａｔｉｎｇ  Ｓｙｓｔｅｍ）とアプリケーションとの分担、またはＯＳとアプリケーションとの協同により実現する場合等には、ＯＳ以外の部分のみを記録媒体に格納してもよい。
【０１０８】
さらに、搬送波に各プログラムを重畳し、通信ネットワークを介して配信することも可能である。例えば、通信ネットワーク上の掲示板（ＢＢＳ，Ｂｕｌｌｅｔｉｎ  Ｂｏａｒｄ  Ｓｙｓｔｅｍ）に当該プログラムを掲示し、ネットワークを介して当該プログラムを配信してもよい。そして、これらのプログラムを起動し、ＯＳの制御下で、他のアプリケーションプログラムと同様に実行することにより、上述の処理を実行できるように構成してもよい。
【０１０９】
以上、本発明の好ましい実施形態について説明したが、本発明は係る特定の実施形態に限定されるものではなく、本発明には、特許請求の範囲に記載された発明とその均等の範囲が含まれる。
【符号の説明】
【０１１０】
１０００，２０００，３０００，４０００，４００１  機器状態表示システム、  １００，１０１，１２０，１３０，１４１  機器状態表示制御装置、  １１  機器状態取得部、  １２  機器特定部、  １３  画面構築部、  １４  出力部、  １５  記憶部、  １５１  機器固有情報記憶部、  １５２  シンボル情報記憶部、  １５３  機器状態記憶部、  １６  操作取得部、  １７  電力取得部、  ２００，２０１  端末装置、  ３，３Ａ，３Ｂ，３Ｃ  電気機器、  ４  分電盤、  ５  ネットワーク、  ６  商用交流電源、  ７  電力測定装置、  ８  ゲートウェイ、  ９  外部ネットワーク、  １０  クラウドサーバ、  ５１  プロセッサ、  ５２  メモリ、  ５３  インタフェース。
【図１】
0006742152.tif 000002
【図２】
0006742152.tif 000003
【図３】
0006742152.tif 000004
【図４】
0006742152.tif 000005
【図５】
0006742152.tif 000006
【図６】
0006742152.tif 000007
【図７】
0006742152.tif 000008
【図８】
0006742152.tif 000009
【図９】
0006742152.tif 000010
【図１０】
0006742152.tif 000011
【図１１】
0006742152.tif 000012
【図１２】
0006742152.tif 000013
【図１３】
0006742152.tif 000014
【図１４】
0006742152.tif 000015
【図１５】
0006742152.tif 000016
【図１６】
0006742152.tif 000017
【図１７】
0006742152.tif 000018
【図１８】
0006742152.tif 000019
【図１９】
0006742152.tif 000020
【図２０】
0006742152.tif 000021
【図２１】
0006742152.tif 000022
【図２２】
0006742152.tif 000023
【図２３】
0006742152.tif 000024
【図２４】
0006742152.tif 000025
【図２５】
0006742152.tif 000026
【図２６】
0006742152.tif 000027
【図２７】
0006742152.tif 000028
【図２８】
0006742152.tif 000029
【図２９】
0006742152.tif 000030